(57)【要約】【課題】音の種別に合わせて最適な低域増強を行うことができる遊技機を提供する。【解決手段】演出制御手段１００Ａは、演出制御コマンドに応じて実行される演出表示制御に対応した音出力パターンが設定された記憶手段１００ａと、記憶手段１００ａに設定されている音出力パターンに基づく音出力時に、所定の低周波数帯域の音量レベルを電気的に増加させて出力する低音増強手段１００ｃとを含み、低音増強パターンには、特定低周波数帯域の音を中心に音量レベルを増加させる第１低音増強パターンと、特定低周波数以下の周波数帯域の音量レベルを漸次増加させる第２低音増強パターンとがあり、低音増強手段１００ｃが、音出力パターンに基づく出力音の種別に応じて設定された情報に基づいて、第１低音増強パターンと第２低音増強パターンとを選択的に用いて低音の音量レベルを増加させる。【選択図】　図１
2004008481.tif 000002
【特許請求の範囲】
【請求項１】
遊技制御手段により決定された演出制御コマンドに基づいて表示装置を用いた演出表示制御を実行する表示制御手段と、当該演出表示制御の内容に応じて音出力手段を用いた音出力制御を実行する音制御手段とを備える遊技機であって、
前記音制御手段は、前記演出制御コマンドに応じて実行される演出表示制御に対応した音出力パターンが設定された記憶手段と、前記記憶手段に設定されている音出力パターンに基づく音出力時に、所定の低周波数帯域の音量レベルを電気的に増加させて出力する低音増強手段とを含み、
前記低音増強手段による低音増強パターンは、特定低周波数帯域の音を中心に音量レベルを増加させる第１低音増強パターンと、特定低周波数以下の周波数帯域の音量レベルを漸次増加させる第２低音増強パターンとを含み、
前記低音増強手段は、前記音出力パターンに基づく出力音の種別に応じて設定された情報に基づいて、前記第１低音増強パターンと前記第２低音増強パターンとを選択的に用いて低音の音量レベルを増加させる
ことを特徴とする遊技機。
【請求項２】
低音増強手段は、前記音出力パターンに基づく出力音が主に特定低周波数帯域の音で構成される出力音の種別である場合には第１低音増強パターンを用い、前記音出力パターンに基づく出力音が広い周波数帯域にまたがった音で構成される出力音の種別である場合には第２低音増強パターンを用いる
請求項１記載の遊技機。
【請求項３】
低音増強手段は、演出表示制御における特定のタイミングに応じて低周波数帯域の音量レベルを増加させる
請求項１又は請求項２記載の遊技機。
【請求項４】
１ゲームに対して賭け数を設定することによりゲームを開始させることが可能となり、可変表示装置の変動表示結果が導出表示されることにより１ゲームが終了し、前記可変表示装置の変動表示結果に応じて入賞が発生可能である遊技機において、
前記可変表示装置の変動表示制御の内容に応じて音出力手段を用いた音出力制御を実行する音制御手段を備え、
前記音制御手段は、前記変動表示制御に用いられる演出表示パターンと音出力パターンとが設定された記憶手段と、前記記憶手段に設定されている音出力パターンに基づく音出力時に、所定の低周波数帯域の音量レベルを電気的に増加させて出力する低音増強手段とを含み、
前記低音増強手段による低音増強パターンは、特定低周波数の音を中心に音量レベルを増加させる第１低音増強パターンと、特定低周波数以下の周波数帯域の音量レベルを漸次増加させる第２低音増強パターンとを含み、
前記演出制御手段は、前記音出力パターンに基づく出力音の種別に応じて設定された情報に基づいて、前記第１低音増強パターンと前記第２低音増強パターンとを選択的に用いて低音の音量レベルを増加させる
ことを特徴とする遊技機。
【発明の詳細な説明】
【０００１】
【発明の属する技術分野】
本発明は、パチンコ遊技機やスロットマシン等の遊技機にかかり、特に、音出力手段から出力される音の低周波数帯域を増幅する低音増強機能を有する遊技機に関する。
【０００２】
【従来の技術】
従来、パチンコ遊技機等の遊技機においては、液晶表示装置（ＬＣＤ：ＬｉｑｕｉｄＣｒｙｓｔａｌ　Ｄｉｓｐｌａｙ）等の可変表示装置上で、予め用意された複数種の識別情報（特別図柄）の可変表示を行い、その表示結果により所定の遊技価値を付与するか否かを決定する、いわゆる可変表示ゲームによって遊技興趣を高めたものが数多く提供されている。
【０００３】
可変表示ゲームには、前述した可変表示装置として、主に画像表示装置を用いることにより行うもの（特図ゲーム）がある。特図ゲームは、所定領域を通過する遊技球の検出に伴って特別図柄の可変表示を行い、特別図柄の表示結果が導出表示された際の導出表示態様が特定表示態様となっている場合を「大当り」とするゲームである。特図ゲームにおいて「大当り」となると、大入賞口と呼ばれる特別電動役物を作動させ、大入賞口扉を開放状態とする。これによって、遊技者に対して遊技球の入賞が極めて容易となる状態を一定時間継続的に提供する。
【０００４】
このような遊技機は、遊技演出効果を高めるために、特別図柄の可変表示に伴って、可変表示の態様に応じた音声や効果音等の音がスピーカから出力されるように構成されている。通常、遊技店には、多数の遊技機が設置され、それらの遊技機のそれぞれから音が出力されている。従って、遊技機の設置環境はかなり騒がしい。そのような環境では、高周波数帯域の音に比べて低周波数帯域の音が聞き難くなり、音声や効果音等による演出効果が薄れてしまう。
【０００５】
そこで、電気的に低周波数帯域の音量レベルを高くするような制御が実行されることがある。例えば、スピーカの前段に、所定の周波数以下の周波数の信号を増幅する低域ブースト回路を置き、スピーカから出力される音の低周波数帯域を増強する。そのような低域増強の制御を行うことによって、遊技店において、音声や効果音等による臨場感のある演出を実行することができる。
【０００６】
【発明が解決しようとする課題】
しかし、所定の周波数以下の周波数の信号を増幅するように構成した場合に、音の種別によっては、低周波数帯域を増強することによる効果がさほど得られない場合がある。例えば、画像表示装置に表示されるキャラクタが間欠的に発声するような音演出が行われる場合には、発声の音量レベルは高いことが好ましいが、その発声が低域ブースト回路による増強対象帯域外の音であるようなときには、低周波数帯域を増強しても、臨場感のある演出を実行することはできない。
【０００７】
そこで、本発明は、音の種別に合わせて最適な低域増強を行うことができる遊技機を提供することを目的とする。
【０００８】
【課題を解決するための手段】
本発明の第一の観点にかかる遊技機は、図１に示すように、遊技制御手段（図１に示す遊技制御手段３１Ａ、図４に示す遊技制御部３０）により決定された演出制御コマンドに基づいて表示装置を用いた演出表示制御を実行する表示制御手段（図１に示す演出制御手段１００Ａ、図４に示す演出制御部１００）と、演出表示制御の内容に応じて音出力手段を用いた音出力制御を実行する音制御手段（図１に示す演出制御手段１００Ａや図４に示す演出制御部１００に含まれる）とを備える遊技機であって、音制御手段が、演出制御コマンドに応じて実行される演出表示制御に対応した音出力パターンが設定された記憶手段（図１に示す記憶手段１００ａ、図５に示すＲＯＭ１０２）と、記憶手段に設定されている音出力パターンに基づく音出力時に、所定の低周波数帯域の音量レベルを電気的に増加させて出力する低音増強手段（図１に示す音信号発生部１００ｂからの音声信号を増幅する低音増強手段１００ｃ、図６に示すフィルタ部７３２）とを含み、低音増強手段による低音増強パターンは、特定低周波数帯域の音を中心に音量レベルを増加させる第１低音増強パターン（いわゆるピーキング型フィルタ）と、特定低周波数以下の周波数帯域の音量レベルを漸次増加させる第２低音増強パターン（いわゆるシェルビング型フィルタ）とを含み、低音増強手段が、音出力パターンに基づく出力音の種別に応じて設定された情報（例えば図８に示すフィルタ選択の情報）に基づいて、第１低音増強パターンと第２低音増強パターンとを選択的に用いて低音の音量レベルを増加させることを特徴とする。
【０００９】
また、低音増強手段は、例えば、音出力パターンに基づく出力音が主に特定低周波数帯域の音で構成される出力音の種別である場合には第１低音増強パターンを用い、音出力パターンに基づく出力音が広い周波数帯域にまたがった音で構成される出力音の種別である場合には第２低音増強パターンを用いる。
【００１０】
また、低音増強手段は、演出表示制御における特定のタイミング（例えばリーチ成立時、リーチ演出開始時、大当り時、大当り演出開始時、リーチ予告開始時）に応じて低周波数帯域の音量レベルを増加させる（例えば、フィルタ選択０〜７のうち、より高いブーストレベルに対応したものを選択する）。
【００１１】
本発明の第二の観点にかかる遊技機は、１ゲームに対して賭け数を設定することによりゲームを開始させることが可能となり、可変表示装置（例えば可変表示装置５０２）の変動表示結果が導出表示されることにより１ゲームが終了し、可変表示装置の変動表示結果に応じて入賞が発生可能である遊技機であって、可変表示装置の変動表示制御の内容に応じて音出力手段を用いた音出力制御を実行する音制御手段（例えば演出制御基板６３０に搭載されている演出制御手段に含まれる）を備え、音制御手段が、変動表示制御に用いられる演出表示パターンと音出力パターンとが設定された記憶手段（例えば演出制御基板６３０に搭載されているＲＯＭ）と、記憶手段に設定されている音出力パターンに基づく音出力時に、所定の低周波数帯域の音量レベルを電気的に増加させて出力する低音増強手段（例えば演出制御基板６３０に搭載されているフィルタ部）とを含み、低音増強手段による低音増強パターンは、特定低周波数の音を中心に音量レベルを増加させる第１低音増強パターンと、特定低周波数以下の周波数帯域の音量レベルを漸次増加させる第２低音増強パターンとを含み、演出制御手段が、音出力パターンに基づく出力音の種別に応じて設定された情報に基づいて、第１低音増強パターンと第２低音増強パターンとを選択的に用いて低音の音量レベルを増加させることを特徴とする。
【００１２】
【発明の実施の形態】
以下、図面を参照しつつ、本発明の一実施形態を詳細に説明する。なお、本実施形態における遊技機としては、ＬＣＤ（Ｌｉｑｕｉｄ　Ｃｒｙｓｔａｌ　Ｄｉｓｐｌａｙ）等からなる可変表示装置により特図ゲームを行う遊技機であり、プリペイドカードによって球貸しを行うカードリーダ（ＣＲ：Ｃａｒｄ　Ｒｅａｄｅｒ）式の第１種パチンコ遊技機を例にとって説明する。しかし、適用対象となる遊技機は、これに限るものではなく、パチンコ遊技機等の弾球遊技機であっても、例えば、第２種あるいは第３種に分類される遊技機や、パチコンと呼ばれる確率設定機能付き弾球遊技機等であっても構わない。さらには、プリペイドカードによって球貸しを行うＣＲ式パチンコ遊技機だけでなく、現金によって球貸しを行うパチンコ遊技機にも適用可能である。
【００１３】
まず、ＣＲ式第１種パチンコ遊技機の全体の構成について説明する。図２はパチンコ遊技機を正面から見た正面図である。パチンコ遊技機１は、大別して、遊技盤面を構成する遊技盤２と、遊技盤２が着脱可能に取り付けられる遊技機用枠３とで構成される。遊技盤２は、それを構成する板状体と、その板状体に取り付けられた種々の部品とを含む構造体である。また、遊技盤２の前面には遊技領域４が形成されている。なお、遊技機１の前面側の下部右側には、打球を発射する打球操作ハンドル（操作ノブ）５が設けられている。
【００１４】
遊技領域４の中央付近には、それぞれが識別情報としての図柄を可変表示する複数の可変表示部を含む可変表示装置（特別可変表示部）６が設けられている。可変表示装置６は、例えば、ＬＣＤ（液晶表示装置）によって構成されている。可変表示装置６には、例えば、「左」、「中」、「右」の３つ特別図柄が表示される可変表示部（図柄表示エリア）がある。図柄表示エリアには、変動表示の表示結果が大当り表示態様であるか否かを特定するための有効ラインが予め設定されている。有効ライン上で最終的に停止した各特別図柄の組合せによって大当り表示態様であるか否かが特定され、有効ライン上に各特別図柄が同一図柄で揃っている場合に大当り表示態様であることが特定される。従って、遊技者は可変表示装置６における有効ライン上の表示態様を確認することで、大当りとなったか否かを容易に認識することができる。
【００１５】
また、この例では、可変表示装置６の演出表示エリア内に、始動入賞口７に入った有効入賞球数すなわち始動入賞記憶数を表示する４つの特別図柄始動記憶表示エリア（始動記憶表示エリア）８が設けられている。有効始動入賞（始動入賞記憶数が４未満のときの始動入賞）がある毎に、表示色を変化させる（例えば、青色表示から赤色表示に変化させる）始動記憶表示エリア８を１増やす。そして、可変表示装置６の可変表示が開始される毎に、表示色が変化している始動記憶表示エリア８を１減らす（すなわち表示色をもとに戻す）。
【００１６】
可変表示装置６の下方には、開閉動作を行う可変入賞球装置９を兼用する始動入賞口７と、特定遊技状態（大当り状態）においてソレノイド等を駆動することで開状態とされる大入賞口１０とが上下に並んで配設されており、始動入賞口７の左側には、ゲート１３が配設されている。大入賞口１０は、開閉板１１を開閉することによって開状態あるいは閉状態とされる。ゲート１３に遊技球が入賞すると、普通図柄始動入賞記憶が上限に達していなければ、普通図柄表示装置１４において表示状態が変化する可変表示が開始される。普通図柄表示装置１４の近傍には、普通図柄始動入賞記憶数を表示する４つのＬＥＤによる表示部を有する普通図柄始動記憶表示器１５が設けられている。また、遊技盤２には、複数の入賞口１６，１７，１８，１９が設けられている。
【００１７】
遊技機用枠３の左右上部には、効果音（音声を含む）を発する音出力手段としての２つのスピーカ２０Ｌ，２０Ｒが設けられている。また、遊技領域４の外周には、天枠ランプ２１ａ、左枠ランプ２１ｂ及び右枠ランプ２１ｃが設けられている。さらに、遊技領域４における各構造物（大入賞口等）の周囲には装飾用ＬＥＤ（図示せず）が設置されている。天枠ランプ２１ａ、左枠ランプ２１ｂ及び右枠ランプ２１ｃ及び装飾用ＬＥＤは、遊技機に設けられている発光体の一例である。
【００１８】
次に、パチンコ遊技機１の裏面の構造について図３を参照して説明する。図３は、遊技機を裏面から見た背面図である。図３に示すように、遊技機裏面側では、可変表示装置６等を制御する演出制御基板１００、遊技制御用マイクロコンピュータ等が搭載された遊技制御基板（主基板）３０が設置されている。また、球払出制御を行う払出制御用マイクロコンピュータ等が搭載された払出制御基板４０が設置されている。また、ＤＣ３０Ｖ、ＤＣ２１Ｖ、ＤＣ１２Ｖ及びＤＣ５Ｖを作成する電源回路が搭載された電源基板１５０や発射制御基板９１が設けられている。さらに、主基板３０からの各種情報を遊技機外部に出力するための各端子を備えた盤用外部端子基板５０と、賞球個数や球貸し個数等の各種情報を遊技機外部に出力するための各端子を備えた枠用外部端子基板５１とが設置されている。
【００１９】
図４は、遊技制御部を中心としたシステム構成例を示すブロック図である。本実施形態におけるパチンコ遊技機１は、主として、電源部（電源基板）１５０と、遊技制御部（主基板）３０と、入力部５２と、出力部５３と、演出制御部（演出制御基板）１００と、払出制御部（払出制御基板）４０と、盤用外部端子基板５０と、枠用外部端子基板５１とを備えている。
【００２０】
遊技制御部３０は、ゲーム制御用のプログラム等を記憶するＲＯＭ３１、ワークメモリとして使用される記憶手段（変動データを記憶する手段）としてのＲＡＭ３２、プログラムに従って制御動作を行うＣＰＵ３３及びＩ／Ｏポート部３４を含む。なお、ＣＰＵ３３はＲＯＭ３１に格納されているプログラムに従って制御を実行するので、以下、ＣＰＵ３３が実行する（又は、処理を行う）ということは、具体的には、ＣＰＵ３３がプログラムに従って制御を実行することである。このことは、主基板３０以外の他の基板に搭載されているＣＰＵについても同様である。また、遊技制御部３０は、入力部５２からの信号入力を受け付けるスイッチ回路（図示せず）と、出力部５３に向けて駆動信号の出力を行うソレノイド回路（図示せず）とを備えている。なお、遊技制御部３０は、遊技に用いられる各種の乱数を生成する機能、演出制御部１００や払出制御部４０に制御コマンドを出力する機能、ホールの管理コンピュータに対して各種情報を出力する機能等の各種の機能を有している。
【００２１】
入力部５２は、始動入賞口７への入賞球を検出する始動口スイッチ７ａ、ゲート１３への入賞球を検出するゲートスイッチ１３ａ、大入賞口１０から遊技盤２の背面に導かれた入賞球のうち一方（Ｖ入賞領域）に入った入賞球を検出する特定領域スイッチ２２、大入賞口１０からの入賞球を検出するカウントスイッチ２３、各入賞口１６，１７，１８，１９への入賞球を検出する入賞口スイッチ１６ａ，１７ａ，１８ａ，１９ａ等の各種の検出手段によって構成される。上記の各スイッチは、センサと称されているものでもよい。すなわち、遊技球の検出等の、各種の検出を行うことができる検出手段であれば、その名称を問わない。
【００２２】
出力部５３は、可変入賞球装置９を開閉するための普通電動役物ソレノイド９ａ、開閉板１１の開閉に用いられる大入賞口扉ソレノイド１１ａ及び大入賞口１０内の経路の切り換えに用いられる大入賞口内誘導板ソレノイド１２ａ等の各種の駆動手段によって構成される。
【００２３】
図４に示すように、演出制御部１００は、可変表示装置６や普通図柄表示装置１４等の表示に関する制御を行う表示制御部８０と、スピーカ２０Ｌ，２０Ｒ等の音に関する制御を行う音制御部７０と、天枠ランプ２１ａ等の発光体に関する制御を行うランプ制御部６０とを備えている。演出制御部１００は、遊技制御部３０からの制御コマンドに基づいて、特別図柄を可変表示する可変表示装置６及び普通図柄を可変表示する普通図柄表示装置１４の表示制御、音声出力制御、ランプ表示制御を実行する。
【００２４】
払出制御部４０は、遊技球の貸出や賞球等の払出制御を実行する機能を有している。また、盤用外部端子基板５０及び枠用外部端子基板５１は、各種遊技関連情報を外部に出力する役割を果たす。さらに、電源部１５０は、パチンコ遊技機１内の各回路に、所定の電源電圧を供給するために設けられている。
【００２５】
ここで、パチンコ遊技機１における遊技の様子について説明する。打球発射装置から発射された遊技球は、打球レールを通って遊技領域４に入り、その後、遊技領域４を下りてくる。打球が始動入賞口７に入り始動口スイッチ７ａで検出されると、図柄の可変表示を開始できる状態であれば、可変表示装置６において特別図柄が可変表示（変動）を始める。図柄の可変表示を開始できる状態でなければ、始動入賞記憶数を１増やす。
【００２６】
可変表示装置６における特別図柄の可変表示は、一定時間が経過したときに停止する。停止時における有効ライン上の特別図柄の組合せが大当り図柄（大当り表示態様。特定表示態様の一例）であると、大当り遊技状態に移行する。すなわち、大入賞口１０が、一定時間経過するまで、又は、所定個数（例えば、１０個）の打球が入賞するまで開放する。そして、大入賞口１０の開放中に打球がＶ入賞領域に入賞し特定領域スイッチ２２で検出されると、継続権が発生し大入賞口１０の開放が再度行われる。継続権の発生は、所定回数（例えば、１５ラウンド）許容される。
【００２７】
停止時の可変表示装置６における特別図柄の組合せが確率変動を伴う大当り図柄（確変図柄）の組合せである場合には、次に大当りとなる確率が高くなる。すなわち、確変状態という遊技者にとってさらに有利な状態（特別遊技状態）となる。
【００２８】
なお、可変表示装置６上に表示される特別図柄の仮停止タイミングや変動時間等は、演出制御コマンドのうちの変動パターン指定コマンドに従って一意に定まっている。すなわち、演出制御部１００は、変動パターンコマンドを受け取ったタイミングから、可変表示装置６上における特別図柄の変動、スピーカ２０Ｌ，２０Ｒからの音声出力及びランプ・ＬＥＤ２１ａ等の明滅表示が連動して行われるように制御を実行する。
【００２９】
図５は、演出制御基板１００の回路構成を示すブロック図である。演出制御基板１００には、表示制御部８０と、音制御部７０と、ランプ制御部６０と、各制御部６０，７０，８０の制御を行う演出制御用ＣＰＵ１０１と、演出制御用のプログラムや図柄表示・発光・音声出力等の各種の演出パターン等を記憶するＲＯＭ１０２と、ワークメモリとして使用されるＲＡＭ１０３とが搭載されている。また、演出制御基板１００には、演出制御コマンドの受信に用いられるコマンド受信回路（図示せず）も設けられている。
【００３０】
演出制御用ＣＰＵ１０１は、ＲＯＭ１０２に格納されたプログラムに従って動作し、主基板３０からの演出制御コマンドを受信する。そして、演出制御用ＣＰＵ１０１は、受信した演出制御コマンドに従って、可変表示装置６の表示制御や、発光体の点灯／消灯制御、音出力制御、可動演出装置の駆動制御等の各種制御を行う。
【００３１】
可変表示装置６の表示制御は、具体的には、演出制御コマンドに応じた指令を演出制御用ＣＰＵ１０１がＧＣＬ（グラフィックコントローラＬＳＩ：図示せず）に与えることによって実行される。ＧＣＬは、画像データ格納手段としてのＣＧＲＯＭ（図示せず）等から画像を作成するために必要な画像データを読み出す。なお、ＣＧＲＯＭには、使用頻度の高いキャラクタ等を示す画像データが格納されている。ＧＣＬは、入力したデータに従って可変表示装置６に表示するための画像データを生成し、Ｒ（赤），Ｇ（緑），Ｂ（青）信号及び同期信号を可変表示装置６に出力する。可変表示装置６は、例えば、多数の画素（ピクセル）を用いたドットマトリクス方式による画面表示を行う。本例では、Ｒ，Ｇ，Ｂ信号がそれぞれ８ビットで表される。従って、可変表示装置６は、ＧＣＬからの指示に従って、Ｒ，Ｇ，Ｂそれぞれが２５６階調であり、約１６７０万色の多色表示を行うことができる。なお、Ｒ，Ｇ，Ｂ信号のビット数は８ビット以外のビット数であってもよく、また、Ｒ，Ｇ，Ｂ信号の各ビット数が互いに異なる数であってもよい。
【００３２】
音制御部７０は、遊技制御部３０からの制御コマンドに従って音声や効果音を発生する音声合成用ＩＣ７１と、音声データ等を記憶する音声ＲＯＭ７２と、音声合成用ＩＣ７１からの音声信号を増幅してスピーカ２０Ｌ，２０Ｒに出力するための増幅器７３とを備えている。
【００３３】
音声合成用ＩＣ７１は、例えばデジタルシグナルプロセッサで構成され、音声合成用ＩＣ７１は、演出制御用ＣＰＵ１０１から指示された音番号データに応じた音出力パターンのデータを音声データＲＯＭ７２から読み出し、読み出したデータに応じた音声や効果音を発生し増幅器７３に出力する。
【００３４】
ランプ制御部６０は、ランプ・ＬＥＤ２４に含まれている遊技状態飾りランプ２４ａに信号を出力するためのランプ駆動回路６１と、ランプ・ＬＥＤ２４に含まれている遊技状態飾りＬＥＤ２４ｂに信号を出力するためのＬＥＤ駆動回路６２とを備えている。
【００３５】
なお、演出制御手段は、ランプ制御部６０、音声制御部７０及び表示制御部８０における各構成要素によって実現されている。
【００３６】
図６は、音声合成用ＩＣ７１の一構成例を示すブロック図である。図６に例示する音声合成用ＩＣ７１は、音声ＲＯＭ７２に格納されている音声データに基づく音再生を行う音再生部７３０、および音再生部７３０から出力される音声信号（ディジタル信号）のレベルを演出制御用ＣＰＵ１０１の設定値に応じて調整するディジタルボリューム７３１を経て、フィルタ部７３２に入力される。なお、フィルタ部７３２は、クリッピング機能を内蔵している。また、フィルタ部７３２の出力は、Ｄ−Ａ変換器７３３でアナログ音声信号に変換される。Ｄ−Ａ変換器７３３からの音声信号は、増幅器７３で増幅され、スピーカ２０Ｌ，２０Ｒに出力される。
【００３７】
図７は、ＲＯＭ１０２に格納されているパターンテーブルの構成を示す概念図である。図７に示す例では、パターンテーブルには、遊技制御手段から送信される演出制御コマンドのそれぞれ（Ａ欄）に対応して、可変表示装置６に表示される演出表示の態様を示す演出表示パターン（Ｂ欄）と、演出表示の態様に同期した演出音パターン（音出力パターン：Ｃ欄）とが設定されている。それぞれの音出力パターンは、音声ＲＯＭ７２に格納されている音声データの番号を表すデータである。そして、音声ＲＯＭ７２には、音声データの番号に応じて、演出表示の態様に同期した演出音パターンを実現するための一連のデータが設定されている。
【００３８】
図８は、パターンテーブルの詳細な構成例を示す説明図である。図８には、主基板３０に搭載されている遊技制御手段から演出制御基板１００に搭載されている演出制御手段に対して送信される演出制御コマンドの例として、変動パターン指定＃１〜＃１５、特別図柄停止、大当り開始時指定、大入賞口開放時指定、非特定大当り終了指定（非確変図柄等の非特定図柄に基づく大当り遊技の終了の指定）、及び特定大当り終了指定（確変図柄等の特定図柄に基づく大当り遊技の終了の指定）が例示されている。
【００３９】
なお、遊技制御手段から演出制御手段に対して送信される演出制御コマンドには、特別図柄の停止図柄を示すコマンドなど、図８に例示されたもの以外のものもある。また、図８には、遊技の進行中に、演出制御手段が、遊技制御手段から受信した演出制御コマンドに基づいて独自に決定する演出表示パターンがある。それらを、図８において括弧書きで示す。
【００４０】
パターンテーブルには、演出制御コマンドに対応した演出表示パターンや演出制御手段が独自に決定した演出表示パターンを示すデータ（図８におけるＤ欄）に対応して、音出力パターンを示すデータ（図８におけるＣ欄）が設定されている。すなわち、演出制御手段において、記憶手段としてのＲＯＭ１０２には、演出制御コマンドに応じて実行される演出表示制御に対応した音出力パターンを実現するためのデータ（図８におけるＤ欄）が設定されている。このように、音出力パターンを実現するためのデータが可変表示装置６を用いた演出表示制御に対応付けられているので、可変表示装置６の演出内容に対応した音演出制御を容易に実現することができる。
【００４１】
さらに、パターンテーブルには、それぞれの音出力パターンに対応したフィルタ選択を示すデータが設定されている。図８に示す例では、０〜７のいずれか、あるいは、「０又は選択」を示すデータが設定されている。「０又は選択」は、演出制御コマンドで指定される演出表示パターン（例えば、変動パターン指定＃１の演出制御コマンドで指定される変動パターン１）が複数の段階からなり、それぞれの段階において、異なるフィルタ選択がなされる場合があることを示す。また、パターンテーブルには、リミッタ選択のための値も設定されている。音出力パターンを実現するためのデータが演出表示制御に対応付けられ、かつ、フィルタ選択およびリミッタ選択のための値が音出力パターンを実現するためのデータに対応付けられているので、可変表示装置６の演出内容に対応した音出力のフィルタリングおよびリミッティングの制御を容易に実現することができる。
【００４２】
図９は、フィルタ選択を示すデータと、フィルタタイプ及びブーストレベル（増幅度）との対応を示す説明図である。図９に示すように、フィルタ選択を示すデータに応じて、いずれかのフィルタタイプとブーストレベルとが選択される。また、ブーストレベルとして、リミッタ選択を示すデータに応じて、複数段階のうちのいずれかの増幅レベル（０〜＋２４のいずれか；但し、離散的な値）が選択される。なお、この実施の形態では、フィルタタイプには、第１低音増強パターンを実現するピーキング型と、第２低音増強パターンを実現するシェルビング型とがある。また、通常は、リミッタ選択０の場合の各値が、フィルタ選択０〜７のそれぞれに応じたブーストレベルである。
【００４３】
図６に示された音声合成用ＩＣ７１のフィルタ部７３２は、演出制御用ＣＰＵ１０１のフィルタ選択の指示およびリミッタ選択の指示に応じて、図９に示されるようなフィルタタイプ及びブーストレベルのうちから指示されたものを選択し、入力された音声信号のレベルに対するフィルタリングおよび増幅を行う。また、演出制御用ＣＰＵ１０１は、複数段階の低音増強レベル設定値（フィルタ選択０〜７における「０〜７」）のいずれかを選択可能である。そして、上述したように、通常はリミッタ選択０であり、その場合、フィルタ部７３２は、演出制御用ＣＰＵ１０１により選択された低音増強レベル設定値に応じて音量レベルの増加の程度（増幅レベル）を設定する。
【００４４】
また、低音増強手段としてのフィルタ部７３２は、所定範囲（例えば、フィルタ選択１では、０〜＋６ｄＢの範囲）から低音増強レベルすなわちブーストレベルを選択し、演出制御用ＣＰＵ１０１が選択したレベル選択値としてのリミッタ選択を示すデータ（リミッタ選択値）に応じて低音増強レベルの選択範囲を限定する（例えば、フィルタ選択１では、レベル１では＋４ｄＢに限定する）ことによって音量レベルを低減することができる。
【００４５】
図１０は、演出表示パターンが複数の段階からなることがあり、複数の段階からなるときには、それぞれの段階において異なるフィルタ選択がなされる場合の例を示す説明図である。図１０に示す例では、例えば、はずれ変動の演出表示パターンでは、演出制御用ＣＰＵ１０１は、変動期間を通じてフィルタ選択を示すデータを「０」に維持し、変動期間中にフィルタリングはなされない（図９参照）。また、リーチ演出を伴う演出表示パターンでは、演出制御用ＣＰＵ１０１は、リーチ成立までの期間ではフィルタ選択を示すデータを「０」とし、リーチが成立したときにはフィルタ選択を示すデータを「３」とし、リーチ演出中ではフィルタ選択を示すデータを「５」とする。
【００４６】
このように、この実施の形態では、演出制御用ＣＰＵ１０１は、演出表示制御における特定のタイミングに応じて低周波数帯域の音量レベルを増加させる制御を行う。すなわち、フィルタ選択０〜７のうち、より高いブーストレベルに対応したものを選択する。そして、低音増強手段としてのフィルタ部７３２は、演出制御用ＣＰＵ１０１による制御に応じて、演出表示制御における特定のタイミングに応じて低周波数帯域の音量レベルを増加させる。
【００４７】
図１０に示された例では、特定のタイミングはリーチ成立時及びリーチ演出開始時ということになるが、大当り時、大当り演出開始時、リーチ予告開始時など演出の態様の切替が生じうる他のタイミングであってもよい。つまり、演出の態様の切替が生ずるときには音の種別が変わる場合があり、音の種別が変わる場合には、フィルタ選択の切替が実行される。例えば、特別図柄の変動中では適切なフィルタリングが行われていたのに対して、そのままでは特別図柄が停止して大当りが発生したときや大当り遊技中では適切ではなくなるような場合には、演出制御手段は、フィルタ選択の切替を実行する。このように、低音増強手段が、演出表示制御における演出の態様の切替が生ずるタイミングに応じて低周波数帯域の音量レベルを増加させる制御（具体的にはフィルタ選択の切替）を行うので、特別図柄の可変表示中における各期間のそれぞれにおいて、表示演出に対してよりふさわしい効果音等を遊技者に与えることができる。
【００４８】
図１１は、ピーキング型とシェルビング型とのフィルタ特性を説明するための説明図である。図１１（Ａ）に例示するピーキング型では、１５０Ｈｚを中心周波数（ピーク周波数）とした所定周波数範囲で増幅が行われる。なお、図１１（Ａ）に示す例において、Ｑ値は１．５である。また、図１１（Ｂ）に示すシェルビング型では、３００Ｈｚを中心周波数として、所定周波数範囲で高周波数から低周波数まで徐々に増幅度が高くされ、所定周波数範囲外では、増幅度が一定にされる。なお、図９に示された増幅度は、例えば、中心周波数における増幅度である。
【００４９】
また、演出制御用ＣＰＵ１０１は、音出力パターンに基づく出力音が主に特定低周波数帯域の音で構成される出力音の種別である場合には第１低音増強パターンとしてのピーキング型を用い、音出力パターンに基づく出力音が広い周波数帯域にまたがった音で構成される出力音の種別である場合には第２低音増強パターンとしてのシェルビング型を用いるように制御する。
【００５０】
次に遊技機の動作について説明する。図１２は、主基板３０における遊技制御手段（ＣＰＵ３３及びＲＯＭ，ＲＡＭ等の周辺回路）が実行するメイン処理を示すフローチャートである。遊技機に対して電源が投入され、リセット端子の入力レベルがハイレベルになると、ＣＰＵ３３は、ステップＳ１以降のメイン処理を開始する。メイン処理において、ＣＰＵ３３は、まず、必要な初期設定を行う。
【００５１】
初期設定処理において、ＣＰＵ３３は、まず、割込み禁止に設定する（ステップＳ１）。次に、割込みモードを割込みモード２に設定し（ステップＳ２）、スタックポインタにスタックポインタ指定アドレスを設定する（ステップＳ３）。そして、内蔵デバイスレジスタの初期化を行う（ステップＳ４）。また、内蔵デバイス（内蔵周辺回路）であるＣＴＣ（カウンタ／タイマ回路）及びＰＩＯ（パラレル入出力ポート）の初期化（ステップＳ５）を行った後、ＲＡＭをアクセス可能状態に設定する（ステップＳ６）。なお、割込みモード２は、ＣＰＵ３３が内蔵する特定レジスタ（Ｉレジスタ）の値（１バイト）と内蔵デバイスが出力する割込みベクタ（１バイト：最下位ビット０）から合成されるアドレスが、割込み番地を示すモードである。
【００５２】
次いで、ＣＰＵ３３は、遊技機に設けられているクリアスイッチがオン状態であるか否かを確認する（ステップＳ７）。その確認においてオンを検出した場合には、ＣＰＵ３３は、通常の初期化処理を実行する（ステップＳ１０〜ステップＳ１２）。クリアスイッチがオンの状態でない場合には、遊技機への電力供給が停止したときにバックアップＲＡＭ領域のデータ保護処理（例えば、パリティデータの付加等の電力供給停止時処理）が行われたか否か確認する（ステップＳ８）。そのような保護処理が行われていないことを確認したら、ＣＰＵ３３は初期化処理を実行する。バックアップＲＡＭ領域にバックアップデータがあるか否かは、例えば、電力供給停止時処理においてバックアップＲＡＭ領域に設定されるバックアップフラグの状態によって確認される。
【００５３】
バックアップありを確認したら、ＣＰＵ３３は、遊技制御手段の内部状態と演出制御手段等の電気部品制御手段の制御状態を電力供給停止時の状態に戻すための遊技状態復旧処理を行う（ステップＳ９）。そして、バックアップＲＡＭ領域に保存されていたＰＣ（プログラムカウンタ）の退避値がＰＣに設定され、そのアドレスに復帰する。
【００５４】
初期化処理では、ＣＰＵ３３は、まず、ＲＡＭクリア処理を行う（ステップＳ１０）。また、所定の作業領域（例えば、普通図柄判定用乱数カウンタ、普通図柄判定用バッファ、特別図柄左中右図柄バッファ、特別図柄プロセスフラグ、払出コマンド格納ポインタ、賞球中フラグ、球切れフラグ、払出停止フラグ等制御状態に応じて選択的に処理を行うためのフラグ）に初期値を設定する作業領域設定処理を行う。さらに、サブ基板（演出制御基板１００、払出制御基板４０）を初期化するための初期化コマンドをサブ基板に送信する処理を実行する（ステップＳ１１）。初期化コマンドとして、可変表示装置６に表示される初期図柄を示すコマンドや、払出可能状態であることを示す払出可能状態指定コマンド等がある。
【００５５】
そして、２ｍｓ毎に定期的にタイマ割込みがかかるようにＣＰＵ３３に内蔵されているＣＴＣのレジスタの設定が行われる（ステップＳ１２）。すなわち、初期値として２ｍｓに相当する値が所定のレジスタ（時間定数レジスタ）に設定される。
【００５６】
初期化処理の実行（ステップＳ１０〜Ｓ１２）が完了すると、メイン処理で、表示用乱数更新処理（ステップＳ１４）及び初期値用乱数更新処理（ステップＳ１５）が繰り返し実行される。表示用乱数更新処理及び初期値用乱数更新処理が実行されるときには割込み禁止状態とされ（ステップＳ１３）、表示用乱数更新処理及び初期値用乱数更新処理の実行が終了すると割込み許可状態とされる（ステップＳ１６）。表示用乱数とは、可変表示装置６に表示される図柄を決定するための乱数であり、表示用乱数更新処理とは、表示用乱数を発生するためのカウンタのカウント値を更新する処理である。また、初期値用乱数更新処理とは、初期値用乱数を発生するためのカウンタのカウント値を更新する処理である。初期値用乱数とは、大当りとするか否かを決定するための乱数を発生するためのカウンタ（大当り決定用乱数発生カウンタ）等の初期値を決定するための乱数である。後述する遊技制御処理において、大当り決定用乱数発生カウンタのカウント値が１周すると、そのカウンタに初期値が設定される。
【００５７】
タイマ割込みが発生すると、ＣＰＵ３３は、レジスタの退避処理（ステップＳ２０）を行った後、図１３に示すステップＳ２１〜Ｓ３２の遊技制御処理を実行する。遊技制御処理において、ＣＰＵ３３は、まず、スイッチ回路５８を介して、ゲートスイッチ１２ａ、始動口スイッチ７ａ、カウントスイッチ２３及び入賞口スイッチ１６ａ等のスイッチの検出信号を入力し、それらの状態判定を行う（スイッチ処理：ステップＳ２１）。
【００５８】
次に、初期値用乱数を生成するためのカウンタのカウント値を更新する処理及び表示用乱数を生成するためのカウンタのカウント値を更新する処理を行う（ステップＳ２３，Ｓ２４）。ＣＰＵ３３は、さらに、表示用乱数を生成するためのカウンタのカウント値を更新する処理を行う（ステップＳ２４）。
【００５９】
この例では、大当りを発生させるか否かの決定に用いられる大当り判定用乱数、特別図柄の左中右のはずれ図柄の決定に用いられるはずれ図柄決定用乱数、大当りを発生させる際の特別図柄の組合せを決定する際に用いられる大当り図柄決定用乱数、特別図柄の変動パターンの決定に用いられる変動パターン決定用乱数、普通図柄に基づく当りを発生させるか否かの決定に用いられる普通図柄当り判定用乱数、各乱数の初期値の決定に用いられる初期値決定用乱数等の各種の乱数が用意されている。
【００６０】
ステップＳ２３では、ＣＰＵ３３は、大当り判定用乱数、大当り図柄決定用乱数、及び普通図柄当り判定用乱数を生成するためのカウンタのカウントアップ（１加算）を行う。すなわち、それらが判定用乱数であり、それら以外の乱数が表示用乱数又は初期値用乱数である。
【００６１】
さらに、ＣＰＵ３３は、特別図柄プロセス処理を行う（ステップＳ２５）。特別図柄プロセス制御では、遊技状態に応じてパチンコ遊技機１を所定の順序で制御するための特別図柄プロセスフラグに従って該当する処理が選び出されて実行される。そして、特別図柄プロセスフラグの値は、遊技状態に応じて各処理中に更新される。また、普通図柄プロセス処理を行う（ステップＳ２６）。普通図柄プロセス処理では、普通図柄表示装置１４の表示状態を所定の順序で制御するための普通図柄プロセスフラグに従って該当する処理が選び出されて実行される。そして、普通図柄プロセスフラグの値は、遊技状態に応じて各処理中に更新される。
【００６２】
次いで、ＣＰＵ３３は、特別図柄に関する演出制御コマンドをＲＡＭ５５の所定の領域に設定して演出制御コマンドを送出する処理を行う（特別図柄コマンド制御処理：ステップＳ２７）。また、普通図柄に関する演出制御コマンドをＲＡＭ３２の所定の領域に設定して演出制御コマンドを送出する処理を行う（普通図柄コマンド制御処理：ステップＳ２８）。
【００６３】
さらに、ＣＰＵ３３は、例えば、ホール管理用コンピュータに供給される大当り情報、始動情報、確率変動情報等のデータを出力する情報出力処理を行う（ステップＳ２９）。
【００６４】
また、ＣＰＵ３３は、ＣＰＵ３３は、入賞口スイッチ１６ａ，１７ａ，１８ａ，１９ａの検出信号に基づく賞球個数の設定等を行う賞球処理を実行する（ステップＳ３０）。具体的には、入賞口スイッチ１６ａ，１７ａ，１８ａ，１９ａのいずれかがオンしたことに基づく入賞検出に応じて、払出制御基板４０に賞球個数を示す払出制御コマンドを出力する。払出制御基板４０に搭載されている払出制御用ＣＰＵは、賞球個数を示す払出制御コマンドに応じて球払出装置を駆動する。
【００６５】
そして、ＣＰＵ３３は、始動入賞記憶数の増減をチェックする記憶処理を実行する（ステップＳ３１）。また、所定の条件が成立したときにソレノイド回路に駆動指令を行う（ステップＳ３２）。可変入賞球装置９又は開閉板１１を開状態あるいは閉状態としたり、大入賞口１０内の遊技球通路を切り替えたりするために、主基板３０が備えるソレノイド回路は、駆動指令に応じてソレノイド９ａ，１１ａ，１２ａを駆動する。その後、レジスタの内容を復帰させ（ステップＳ３３）、割込み許可状態に設定する（ステップＳ３４）。
【００６６】
以上の制御によって、この実施の形態では、遊技制御処理は２ｍｓ毎に起動されることになる。なお、この実施の形態では、タイマ割込み処理で遊技制御処理が実行されているが、タイマ割込み処理では例えば、割込みが発生したことを示すフラグのセットのみがなされ、遊技制御処理はメイン処理において実行されるようにしてもよい。
【００６７】
なお、この実施の形態では、左図柄、中図柄及び右図柄として、例えば、それぞれ「１」〜「１２」の図柄が、可変表示装置６において可変表示（変動）される。「１」〜「１２」の図柄には、図柄番号０〜１１の図柄番号が付されている。また、可変表示装置６における最終停止図柄（確定図柄）が揃った場合に大当りが発生する。そして、奇数の図柄で揃った場合に、大当りが発生する確率が向上した状態である特別遊技状態の一例である高確率状態（確変状態）に変化する。
【００６８】
また、この実施の形態では、遊技制御手段から各電気部品制御手段に対する指示等の情報伝達は、制御コマンド（演出制御コマンド、払出制御コマンド）によって行われる。制御コマンドは、例えば、２バイト構成であり、１バイト目はＭＯＤＥ（コマンドの分類）を表し、２バイト目はＥＸＴ（コマンドの種類）を表す。演出制御基板１００に搭載されている演出制御手段は、ＩＮＴ信号（取込信号）が立ち上がったことを検知して、割込み処理によって１バイトのデータ（ＭＯＤＥデータ）の取り込み処理を開始し、その後の割込み処理によって１バイトのデータ（ＥＸＴデータ）の取り込み処理を開始する。
【００６９】
次に、演出制御手段の動作を説明する。図１４は、演出制御用ＣＰＵ１０１が実行するメイン処理を示すフローチャートである。メイン処理では、まず、ＲＡＭ領域のクリアや各種初期値の設定、また演出制御の起動間隔を決めるための２ｍｓタイマの初期設定等を行うための初期化処理が行われる（ステップＳ７０１）。その後、演出制御用ＣＰＵ１０１は、タイマ割込みフラグの監視（ステップＳ７０２）の確認を行うループ処理に移行する。タイマ割込みが発生すると、演出制御用ＣＰＵ１０１は、割込み処理処理内でタイマ割込みフラグをセットする。メイン処理において、タイマ割込みフラグがセットされていたら、演出制御用ＣＰＵ１０１は、そのフラグをクリアし（ステップＳ７０３）、以下の演出制御処理を実行する。
【００７０】
この実施の形態では、タイマ割込みは２ｍｓ毎にかかる。すなわち、演出制御処理は、２ｍｓ毎に起動される。また、この実施の形態では、タイマ割込み処理ではフラグセットのみがなされ、具体的な演出制御処理はメイン処理において実行されるが、タイマ割込み処理で演出制御処理を実行してもよい。
【００７１】
演出制御処理において、演出制御用ＣＰＵ１０１は、まず、受信した演出制御コマンドを解析する（コマンド解析実行処理：ステップＳ７０４）。次いで演出制御用ＣＰＵ１０１は、演出制御プロセス処理を行う（ステップＳ７０５）。演出制御プロセス処理では、制御状態に応じた各プロセスのうち、現在の制御状態に対応したプロセスを選択して実行する。そして、演出制御基板１００で用いられる各種の乱数カウンタを更新する処理を実行する（ステップＳ７０６）。さらに、フィルタ部７３２に出力されるレベル０〜レベル３のデータ（図９参照）を切り替えるための処理であるクリップ防止リミッタ処理（ステップＳ７０７）を実行する。その後、ステップＳ７０２のタイマ割込みフラグの確認を行う処理に戻る。
【００７２】
ここで、主基板３０からの演出制御コマンドの受信について説明する。演出制御基板１００は、主基板３０から受信した演出制御コマンドを格納するためのコマンド受信バッファを備えている。例えば、２バイト構成の演出制御コマンドを６個格納可能なリングバッファ形式のコマンド受信バッファが用いられる。演出制御手段は、変動パターン等の格納領域に格納される最新のコマンドに基づき制御される。これにより、主基板３０からの指示に迅速に対応することができる。演出制御用ＣＰＵ１０１は、主基板３０からのＩＮＴ信号がオン状態になると割込みがかかり、演出制御コマンドを受信するための処理を実行し、受信した演出制御コマンドをコマンド受信バッファに格納する。
【００７３】
そして、受信コマンドバッファに格納されているコマンドの内容がコマンド解析処理（ステップＳ７０４）で確認され、受信コマンドに対応するフラグのセット等の処理がなされる。例えば、コマンド受信バッファに受信コマンドが左中右の図柄を指定する図柄指定コマンドであれば、そのコマンドに含まれている指定図柄を特定可能なデータを停止図柄格納エリアに格納し、対応する有効フラグをセットする。また、例えば、コマンド受信バッファに受信コマンドが演出パターンを指定する変動パターンコマンドであれば、そのコマンドに含まれている変動パターンを特定可能なデータを変動パターン格納エリアに格納し、変動パターン受信フラグをセットする。
【００７４】
図１５は、図１４に示されたメイン処理における演出制御プロセス処理（ステップＳ７０５）を示すフローチャートである。演出制御プロセス処理では、表示制御プロセスフラグの値に応じてステップＳ８００〜Ｓ８０６のうちのいずれかの処理が行われる。各処理において、以下のような処理が実行される。
【００７５】
変動パターンコマンド受信待ち処理（ステップＳ８００）：変動時間を特定可能な演出制御コマンド（変動パターンコマンド）を受信したか否か確認する。具体的には、変動パターンコマンドが受信されたことを示すフラグ（変動パターン受信フラグ）がセットされたか否か確認する。変動パターン受信フラグは、コマンド解析処理にて、変動パターン指定の演出制御コマンドが受信されたことが確認された場合にセットされる。変動パターン受信フラグがセットされていれば、表示制御プロセスフラグの値をリーチ予告処理に対応した値にする。
【００７６】
リーチ予告処理（ステップＳ８０１）：リーチ予告演出を行うか否か、及び、リーチ予告を行うことに決定した場合におけるリーチ予告演出の内容を決定する。決定したら、表示制御プロセスフラグの値を全図柄変動開始処理に対応した値にする。
【００７７】
全図柄変動開始処理（ステップＳ８０２）：左中右図柄の変動が開始されるように制御する。そして、表示制御プロセスフラグの値を図柄変動中処理に対応した値にする。
【００７８】
図柄変動中処理（ステップＳ８０３）：変動パターンを構成する各変動状態（変動速度）の切替えタイミングを制御するとともに、変動時間の終了を監視する。また、左右図柄の停止制御を行う。処理を終えると、表示制御プロセスフラグの値を全図柄停止待ち処理に対応した値にする。
【００７９】
全図柄停止待ち設定処理（ステップＳ８０４）：変動時間の終了時に、全図柄停止を指示する演出制御コマンドを受信していたら、図柄の変動を停止し停止図柄（確定図柄）を表示する制御を行う。そして、大当り表示態様とする場合には表示制御プロセスフラグの値を大当り表示処理に対応した値にし、はずれとする場合には表示制御プロセスフラグの値を変動パターンコマンド受信待ち処理に対応した値にする。
【００８０】
大当り表示処理（ステップＳ８０５）：変動時間の終了後、確変大当り表示又は通常大当り表示の制御を行う。表示期間が終了すると、表示制御プロセスフラグの値を大当り遊技中処理に対応した値にする。
【００８１】
大当り遊技中処理（ステップＳ８０６）：大当り遊技中の制御を行う。例えば、大入賞口開放前表示や大入賞口開放時表示の演出制御コマンドを受信したら、ラウンド数の表示制御等を行う。大当り遊技中の制御を終えると、表示制御プロセスフラグの値を変動パターンコマンド受信待ち処理に対応した値にする。
【００８２】
図１６は、変動パターンテーブル毎に設定されているプロセスデータの一構成例を示す説明図である。プロセスデータは、プロセスタイマ設定値と演出制御実行テーブルの組合せが複数集まったデータで構成されている。各演出制御実行テーブルには、それぞれ、可変表示演出９等の表示制御の変動パターンを構成する各変動態様が記載されている表示制御実行データと、ランプ・ＬＥＤ等の表示制御の変動パターンを構成する各変動態様が記載されているランプ制御実行データと、スピーカ２０Ｌ，２０Ｒ等の音声出力制御の変動パターンを構成する各変動態様が記載されている音制御実行データとが含まれている。また、プロセスタイマ設定値には、その変動態様での変動時間が設定されている。演出制御用ＣＰＵ１０１は、プロセスデータを参照し、プロセスタイマ設定値に設定されている時間だけ演出制御実行テーブルに設定されている変動態様で図柄を変動表示させたり、発光体を点灯／消灯させたり、スピーカ２０Ｌ，２０Ｒから音声出力させたりする制御を行う。
【００８３】
図１６に示すプロセスデータは、演出制御基板１００におけるＲＯＭ１０２に格納され、全図柄変動開始処理（ステップＳ８０２）にて、使用テーブルとして選択された変動パターンテーブルに設定されているプロセスデータに基づく可変表示装置６、ランプ・ＬＥＤ２４及びスピーカ２０Ｌ，２０Ｒの制御が開始され、図柄変動中処理（ステップＳ８０３）において、制御実行データに応じた制御が順次実行される。なお、プロセスデータは、各変動パターンのそれぞれに応じて用意されている。
【００８４】
また、ステップＳ８０２の全図柄変動開始処理からステップＳ８０６の大当り遊技中の各処理において、フィルタ選択の切替制御も実行される。図１７は、ステップＳ８０２〜ステップＳ８０６の各処理において実行されるフィルタ選択の切替制御を示すフローチャートである。
【００８５】
フィルタ選択の切替制御において、演出制御用ＣＰＵ１０１は、演出態様の切替が生じたか否か確認する（ステップＳ９０１）。演出態様の切替とは、例えば、特別図柄の変動が開始されたとき、特別図柄の変動が停止したとき、特別図柄の変動中においてリーチが成立したとき、大当りが発生したとき、大当り遊技が開始されるとき、リーチ予告や大当り予告が開始されるときである。また、特別図柄の変動中や大当り遊技中において、演出の内容が大幅に変更され、それに伴って、出力される音の種別が変わるような場合も、演出態様の切替に含まれる。音の種別が変わるとは、例えば、低音域がほぼ一定であるような音の種別から特定周波数帯域の音量レベルが高いような音の種別に変わるような場合であって、そのままでは適切な特性によるフィルタリングがなされなくなってしまうような場合である。
【００８６】
演出態様の切替が生じた場合には、演出制御用ＣＰＵ１０１は、パターンテーブル（図８および図１０参照）に、切替後の演出態様に応じたフィルタ選択のデータが設定されているか否か確認する（ステップＳ９０２）。設定されていれば、そのデータをフィルタ部７３２に出力する（ステップＳ９０３）。フィルタ部７３２は、新たに入力されたデータに対応したフィルタ特性（図９参照）で、入力された音声信号の増幅を行う。
【００８７】
図１８は、図１４に示されたクリップ防止リミッタ処理（ステップＳ７０７）を示すフローチャートである。フィルタ部７３２が図９に例示されたようなフィルタ特性によってフィルタリングを行うと、出力レベルのピークレベルで音がクリップしてしまうような現象が生ずることがある。そこで、この実施の形態では、演出制御手段は、クリップ音の発生を防止するための制御も行う。
【００８８】
具体的には、演出制御用ＣＰＵ１０１は、演出態様の切替が生じたか否か確認する（ステップＳ９１１）。演出態様の切替が生じた場合には、演出制御用ＣＰＵ１０１は、パターンテーブルに、切替後の演出態様に応じたリミッタ選択値が設定されているか否か確認する（ステップＳ９１２）。設定されていれば、そのリミッタ選択値をフィルタ部７３２に出力する（ステップＳ９１３）。
【００８９】
上述したように、ＲＯＭ１０２に格納されているパターンテーブルには、リミッタ選択のための値（０又はレベル１〜３）も設定されている。図９および図１０に示された例を参照すると、例えば、リミッタ選択値が０のままで、フィルタ選択が３（図１０に示す例では「リーチ成立時」）であったとすると、ブーストレベルは＋１８ｄＢである。その場合、音再生部７３０とディジタルボリューム７３１を経た音声信号の音量レベルが、クリップ音が生じてしまうレベル（基準レベルとする。）を越えているとする。
【００９０】
その場合には、パターンテーブルの「リーチ成立時」の欄に、フィルタ選択３とともに、リミッタ選択値として例えばレベル２（＋１８ｄＢに対して４ｄＢ低減すればクリップ音が生じない場合）を設定しておく。演出制御用ＣＰＵ１０１は、パターンテーブルにリミッタ選択値が記載されていた場合には、フィルタ部７３２に対して、そのリミッタ選択値を出力する。フィルタ部７３２は、演出制御用ＣＰＵ１０１からのリミッタ設定値に応じて、ブーストレベルを変更する。この例では、＋１８ｄＢから＋１４ｄＢに変更する。
【００９１】
このような制御によって、低音増強の効果は薄れるが、クリップ音の発生を防止することができる。なお、この実施の形態では、あらかじめリミッタ選択値が０の場合のフィルタ部７３２から出力される音量レベルを算出し、算出結果に基づいて音量レベルを強制的に低減させるようなリミッタ選択値がパターンテーブルに設定されていたが、実際の出力レベルを検出して、演出制御用ＣＰＵ１０１が検出結果に基づいてリミッタ選択値を設定するようにしてもよい。
【００９２】
このように、演出制御手段は、音声合成用ＩＣ７１が出力する音量レベルが予め設定された基準レベルを越える場合に音声合成用ＩＣ７１が出力する音量レベルを強制的に低減させるレベル制限手段を含む。そして、レベル制限手段は、複数のレベル選択値（レベル０〜３）のいずれかを選択し、フィルタ部７３は、所定範囲から低音増強レベルを選択し、レベル制限手段が選択したレベル選択値に応じて低音増強レベルの選択範囲を限定（図９に示すように、レベル数が上がると増幅度の選択範囲が狭まっている）することによって音量レベルを低減する。なお、ピーキング型では、ピーク周波数（ｆｐ）近傍の所定周波数範囲で増幅が行われ所定周波数範囲外では増幅度が一定にされるので、レベル制限手段は、ピーク値近傍の音量レベルにもとづいて、出力する音量レベルを低減させる制御を行うことになる。また、シェルビング型では、中心周波数（ｆｃ）の増幅レベルを上げたり下げたりするので、その結果、低域のレベル（図１１（Ｂ）における左側の部分）が上がったり下がったりする。音量レベルが予め設定された基準レベルを越えやすいのはピーク値近傍（シェルビング型では図１１（Ｂ）における左側の部分）のレベルであるから、シェルビング型でも、レベル制限手段は、ピーク値近傍の音量レベルにもとづいて、出力する音量レベルを低減させる制御を行うことになる。このように、演出制御手段が、低音増強手段の出力波形におけるピーク値近傍の音量レベルにもとづいて、出力する音量レベルを低減させる制御を行うので、効果音等の全体的な品位を落とすことなく、出力音の種別に適した音量制御を実現することができる。
【００９３】
以上に説明したように、この実施の形態では、演出制御手段は、音の種別に応じて、ピーキング型とシェルビング型のフィルタのうちの適切なタイプのフィルタを選択する。一般に、効果音や音声など特定の周波数帯域の出力レベルが高い音の場合にはピーキング型のフィルタが適し、楽曲など広い周波数帯域に亘って出力レベルに比較的差のない音の場合にはシェルビング型のフィルタが適している。しかし、楽曲等の場合であっても、特定の周波数帯域の出力レベルが高いこともある。その場合には、ピーキング型のフィルタを用いることが好ましい。この実施の形態では、効果音、音声、楽曲等の種類に応じてフィルタタイプを選択するのではなく、音そのものの種別すなわち音出力パターンに基づく出力音の内容に応じて、第１低音増強パターンと第２低音増強パターンとを選択的に使用する。その結果、常に適切なフィルタリングを行うことができる。つまり、演出制御手段は、音出力パターンに基づく出力音が主に特定低周波数帯域の音で構成される出力音の種別である場合には第１低音増強パターンとしてのピーキング型を用い、音出力パターンに基づく出力音が広い周波数帯域にまたがった音で構成される出力音の種別である場合には第２低音増強パターンとしてのシェルビング型を用いるように制御する。従って、音出力パターンに基づく出力音の周波数に応じてフィルタタイプが選択され、効果音、音声、楽曲等の種類に応じてフィルタタイプを選択する場合に比べて、表示演出に対してよりふさわしい効果音等を遊技者に与えることができる。
【００９４】
また、レベル制限手段は、音出力パターンに基づく出力音の種別に応じて予め設定されているレベル選択値を前記低音増強手段に出力し、低音増強手段は、レベル制限手段が出力したレベル選択値に応じて低音増強レベルの選択範囲を限定する。すなわち、演出制御手段は、音の種別に応じて適切なブーストレベル（フィルタ選択０〜７に対応）を選択することができる。この実施の形態では、予め決められているデータ（レベル選択値）にもとづいて適切なブーストレベルを選択することから、出力される音の適切な出力レベルを正確に設定することができる。
【００９５】
さらに、低音増強手段は、音出力パターンに基づく出力音の種別に応じて予め設定されている低音増強レベル設定値に応じて音量レベルの増加の程度を設定する。すなわち、演出制御手段は、クリップ音の発生を防止するために、複数段階の低音増強レベル設定値のいずれかを選択可能であり、低音増強手段としてのフィルタ部７３２は、選択された低音増強レベル設定値に応じて音量レベルの増加の程度を設定する。具体的には、演出制御手段は、音の種別に応じてパターンテーブルに設定されているリミッタ選択値を選択し、フィルタ部７３２は、リミッタ選択値に応じて、ブーストレベルを選定する。この実施の形態では、予め決められているデータ（リミッタ選択値）にもとづいて適切なブーストレベルを選択することから、出力される音の適切な出力レベルを正確に設定することができる。
【００９６】
なお、上記の実施の形態では、演出制御基板１００に搭載されている演出制御手段が表示制御とともに音出力制御を行っていたが、すなわち、演出表示制御を実行する表示制御手段と音出力制御を実行する音制御手段とは演出制御手段に含まれていたが、表示制御と音出力制御とが別の制御手段によって実行されるようにしてもよい。例えば、可変表示装置６の表示制御を行う表示制御手段が搭載された図柄制御基板と、スピーカ２０Ｌ，２０Ｒからの音出力制御を行う音制御手段が搭載された音制御基板とが別個に設けられている場合に、音制御手段に含まれる音制御用ＣＰＵが、上記の音出力制御を行うようにしてもよい。なお、音制御基板が設けられている場合には、図５に示された音声合成用ＩＣ７１、音声ＲＯＭ７２、増幅器７３及びパターンテーブルは、音制御基板に搭載される。
【００９７】
また、上記の実施の形態では、フィルタ部７３２は、リミッタ選択値に応じて中心周波数ｆｐ，ｆｃにおける音量レベルを図９に示されたような値で増幅することになり、フィルタ特性は常に図１１（Ａ），（Ｂ）に示された形状と類似する形状になるが、図１９に示すように、リミッタ選択値に応じて、高レベル領域をカットするような特性に変更してもよい。
【００９８】
上記の実施の形態では、遊技機の例として、識別情報を可変表示する可変表示装置としての機能と演出画像を表示する画像表示装置としての機能とを併せ持つ可変表示装置６を備えたパチンコ遊技機を用いて説明したが、パチンコ遊技機に限られず、可変表示装置と画像表示装置とを別個に備えたスロット機等の他の遊技機においても、本発明を適用することができる。以下、本発明を、他の遊技機の一例であるスロット機に適用した場合の例について説明する。
【００９９】
図２０はスロット機（スロットマシン）５００を正面から見た正面図である。図２０に示すように、スロット機５００は、中央付近に遊技パネル５０１が着脱可能に取り付けられている。また、遊技パネル５０１の前面の中央付近には、複数種類の図柄が可変表示される可変表示装置５０２が設けられている。この実施の形態では、可変表示装置５０２には、「左」、「中」、「右」の３つの図柄表示エリアがあり、各図柄表示エリアに対応してそれぞれ図柄表示リール５０２ａ，５０２ｂ，５０２ｃが設けられている。
【０１００】
遊技パネル５０１の下部には、遊技者が各種の操作を行うための各種入力スイッチ等が配される操作テーブル５２０が設けられている。操作テーブル５２０の奥側には、コインを１枚ずつＢＥＴする（かける）ためのＢＥＴスイッチ５２１、１ゲームでかけることのできる最高枚数（本例では３枚）ずつコインをＢＥＴするためのＭＡＸＢＥＴスイッチ５２２、精算スイッチ５２３、及びコイン投入口５２４が設けられている。コイン投入口５２４に投入されたコインは、図示しない投入コインセンサによって検知される。
【０１０１】
操作テーブル５２０の手前側には、スタートスイッチ５２５、左リールストップスイッチ５２６ａ、中リールストップスイッチ５２６ｂ、右リールストップスイッチ５２６ｃ及びコイン詰まり解消スイッチ５２７が設けられている。操作テーブル５２０の手前左右には、それぞれランプ５２８ａ，５２８ｂが設けられている。操作テーブル５２０の下部には、効果音等を出力するスピーカ５３０が設けられている。
【０１０２】
遊技パネル５０１の上部には、遊技者に遊技方法や遊技状態等を報知する画像表示装置（ＬＣＤ：液晶表示装置）５４０が設けられている。例えば、入賞発生時に、キャラクタが所定動作を行う画像を画像表示装置５４０に表示することで、後述する当選フラグが設定されていることを遊技者に報知する。本例では、この画像表示装置５４０に半透明化処理による合成画面等が表示される。また、画像表示装置５４０の左右には、効果音を発する２つのスピーカ５４１Ｌ，５４１Ｒが設けられている。
【０１０３】
なお、スロット機５００で発生する入賞役には、小役入賞と、リプレイ入賞と、ビッグボーナス入賞と、レギュラーボーナス入賞とがある。スロット機５００では、スタートスイッチ５２５を操作したタイミングで乱数が抽出され、上記いずれかの入賞役による入賞の発生を許容するか否かを決定する。入賞の発生が許容されていることを、「内部当選している」という。内部当選した場合、その旨を示す当選フラグがスロット機５００の内部で設定される。当選フラグが設定された状態でのゲームでは、その当選フラグに対応する入賞役を引き込むことが可能なようにリール５０２ａ〜５０２ｃが制御される。一方、当選フラグが設定されていない状態でのゲームでは、入賞が発生しないようにリール５０２ａ〜５０２ｃが制御される。
【０１０４】
次に、スロット機により提供されるゲームの概要について説明する。
例えば、コイン投入口５２４からコインが投入されＢＥＴスイッチ５２１又はＭＡＸＢＥＴスイッチ５２２が押下される等してかけ数が設定されると、スタートスイッチ５２５の操作が有効となる。そして、遊技者によってスタートスイッチ５２５が操作されると、可変表示装置５０２に設けられている各図柄表示リール５０２ａ〜５０２ｃが回転を始める。また、スタートスイッチ５２５を操作したタイミングで、レギュラーボーナス入賞又はビッグボーナス入賞が内部当選した場合には、例えば、画像表示装置５４０に所定のキャラクタが所定の動作を行っている画面を表示する等して、内部当選した旨が遊技者等に報知される。
【０１０５】
各図柄表示リール５０２ａ〜５０２ｃが回転を始めてから所定時間が経過すると、各リールストップスイッチ５２６ａ〜５２６ｃの操作が有効となる。この状態で、遊技者が各リールストップスイッチ５２６ａ〜５２６ｃのいずれかを押下すれば、操作されたストップスイッチに対応するリールの回転が停止する。なお、各図柄表示リール５０２ａ〜５０２ｃを停止させずに、所定期間以上放置した場合には、各図柄表示リール５０２ａ〜５０２ｃが自動的に停止する。
【０１０６】
すべての図柄表示リール５０２ａ〜５０２ｃが停止した時点で、可変表示装置５０２に表示されている各図柄表示リール５０２ａ〜５０２ｃの上段、中段、下段の３段の図柄中、かけ数に応じて定められる有効な入賞ライン上に位置する図柄の組合せによって入賞したか否かが定められる。かけ数が１の場合には、可変表示装置５０２における中段の横１列の入賞ラインのみが有効となる。かけ数が２の場合には、可変表示装置５０２における上段、中段、下段の横３列の入賞ラインが有効となる。かけ数が３の場合には、可変表示装置５０２における横３列と斜め対角線上２列の合計５本の入賞ラインが有効ラインとなる。
【０１０７】
有効ライン上の図柄の組合せが、予め定められた特定の表示態様となって入賞が発生した場合には、音、光、画像表示装置５４０の表示等によって所定の遊技演出がなされ、入賞の発生に応じたゲームが開始される。
【０１０８】
図２１は、スロット機５００に備えられる主基板（遊技制御基板）６００の回路構成の一例を示すブロック図である。図２１には、演出制御基板６３０及びリールユニット６５０も示されている。なお、主基板６００には電源基板や中継基板等の他の基板も接続されるが、図２１には示されていない。主基板６００は、プログラムに従って制御動作を行うＣＰＵ６０２、ワークメモリとして使用される記憶手段の一例であるＲＡＭ６０３、ゲーム制御用のプログラム等を記憶するＲＯＭ６０４及びＩ／Ｏポート部６０５を含む構成とされている。
【０１０９】
リールユニット６５０には、リールモータ６５１と、リールランプ６５２と、リールセンサ６５３とが格納されている。リールモータ６５１は、各リール５０２ａ〜５０２ｃを回転させるためのモータである。リールランプ６５２は、各リール５０２ａ〜５０２ｃの内部に設けられ、各リール５０２ａ〜５０２ｃに描かれた図柄のうち、可変表示装置５０２にて視認される図柄をリールの内側から照らすためのランプである。リールセンサ６５３は、各リール５０２ａ〜５０２ｃの回転状態や回転数等を感知するためのセンサである。
【０１１０】
この実施の形態では、演出制御基板６３０に搭載されている演出制御手段が、スロット機５００に設けられている画像表示装置５４０の表示制御や、リールランプ６５２の点灯制御を行う。画像表示装置５４０には、演出制御手段の制御によって、飾り図柄の変動表示や、遊技状態や遊技方法を報知するための表示等の様々な情報が表示される。
【０１１１】
演出制御基板６３０に搭載されている演出制御手段は、スロット機５００に設けられているスピーカ５０１，５４１Ｌ，５４１Ｒの音出力制御も行う。そして、上記の実施の形態の場合と同様に、演出制御手段には、主基板６００に搭載されている遊技制御手段から送信される演出制御コマンドのそれぞれに対応して、可変表示装置５０２に表示される演出表示の態様を示す演出表示パターンと、演出表示の態様に同期した演出音パターン（音出力パターン）とが設定されているパターンテーブルが設けられている。また、演出制御手段は、図５に示された音声ＲＯＭ７２や音声合成用ＩＣ７１に相当する音声ＲＯＭや音声合成用ＩＣを含む。また、上記の実施の形態の場合と同様に、ＲＯＭにはパターンテーブルが設定されている。
【０１１２】
従って、上記の実施の形態の場合と同様に、演出制御手段は、音の種別に応じて、ピーキング型とシェルビング型のフィルタのうちの適切なタイプのフィルタを選択することができる。また、演出制御手段は、音の種別に応じて適切なブーストレベル（フィルタ選択０〜７に対応）を選択することができる。さらに、演出制御手段は、クリップ音の発生を防止するために、複数段階の低音増強レベル設定値のいずれかを選択可能であり、低音増強手段としてのフィルタ部７３２は、選択された低音増強レベル設定値に応じて音量レベルの増加の程度を設定する。
【０１１３】
なお、演出制御基板６３０に搭載されている演出制御手段は、スロット機５００に設けられている各種の遊技効果ランプ５５０，５５１，５５２，５５３の点灯制御も行う。
【０１１４】
演出制御基板６３０は、主基板６００から受信した制御コマンドに基づく演出パターンに従って、画像表示装置５４０や、遊技効果ランプ５５０等や、スピーカ５３０等を制御する。画像表示装置５４０では、所定の画像表示パターン（演出パターンの一例）に従って、飾り図柄の変動表示がなされる。飾り図柄の変動表示演出では、例えば、パチンコ機における特別図柄の変動表示のような図柄組合せ演出表示や、リール５０２ａ〜５０２ｃの変動表示のような図柄組合せ演出等の演出が実行される。予め複数設けられている演出パターンから何れの演出パターンを用いるかについては、例えば、スタートスイッチ５２５が操作されたタイミングで、ＣＰＵ６０２によって決定される。
【０１１５】
以上のように、本発明をスロット機に適用することができ、スロット機に適用した場合であっても上記の実施の形態における効果を得ることができる。
【０１１６】
なお、上記の各実施の形態における各遊技機は、可変表示装置における変動表示の表示結果があらかじめ定められた特定の表示態様となったときに所定の遊技価値を遊技者に与える構成とされている。遊技価値とは、例えば、遊技機の遊技領域に設けられた可変入賞球装置が入賞しやすい遊技者にとって有利な状態になることや、遊技者にとって有利な状態となるための権利を発生させたりすることや、景品遊技媒体払出の条件が成立しやすくなる状態になることである。
【０１１７】
なお、上記の実施の形態において、「リーチ表示状態」とは、可変表示装置において最終停止図柄（例えば左右中図柄のうち中図柄）となる図柄以外の図柄が、所定時間継続して、特定表示態様と一致している状態で停止、揺動、拡大縮小もしくは変形している表示状態、又は、複数の図柄が同一図柄で同期して変動したり、表示図柄の位置が入れ替わっていたりして、最終結果が表示される前で大当り発生の可能性が継続している表示状態をいう。また、リーチ表示状態において行われる演出をリーチ演出という。さらに、リーチ表示状態やその様子をリーチ表示態様という。
【０１１８】
また、「特定遊技状態」とは、所定の遊技価値が付与された遊技者にとって有利な状態を意味する。具体的には、「特定遊技状態」は、例えば、可変入賞球装置の状態が入賞しやすい遊技者にとって有利な状態（大当り遊技状態）、遊技者にとって有利な状態となるための権利が発生した状態、景品遊技媒体払出の条件が成立しやすくなる状態等の、所定の遊技価値が付与された状態である。
【０１１９】
さらに、「特別遊技状態」とは、大当りとなりやすい遊技者にとって有利な状態を意味する。具体的には、「特別遊技状態」は、例えば、特別図柄が大当り図柄でそろう確率が高確率状態とされる確変状態、単位時間あたりの普通図柄の変動回数が高められる時短状態、可変入賞球装置９の開成期間や開成回数が高められる開放延長状態等の大当りとなる確率が高められている高確率状態である。なお、時短状態は、可変入賞球装置９の開放回数が高められていることから単位時間あたりの入賞回数が増加し、単位時間あたりの特別図柄の可変表示回数が高められるので、大当りとなる確率が高められている状態といえる。また、同様に、開放延長状態は、可変入賞球装置９の開成期間や開成回数が高められていることから単位時間あたりの入賞回数が増加し、単位時間あたりの特別図柄の可変表示回数が高められるので、大当りとなる確率が高められている状態といえる。
【０１２０】
【発明の効果】
以上のように、請求項１記載の発明では、低音増強手段が、音出力パターンに基づく出力音の種別に応じて設定された情報に基づいて、第１低音増強パターンと第２低音増強パターンとを選択的に用いて低音の音量レベルを増加させるので、音の種別に合わせて最適な低域増強を行うことができる効果がある。
【０１２１】
請求項２記載の発明では、低音増強手段が、主に特定低周波数帯域の音で構成される出力音の種別である場合には第１低音増強パターンを用い、広い周波数帯域にまたがった音で構成される出力音の種別である場合には第２低音増強パターンを用いるので、音の周波数特性に合わせて最適な低域増強を行うことができる。
【０１２２】
請求項３記載の発明では、低音増強手段が、演出表示制御における特定のタイミングに応じて低周波数帯域の音量レベルを増加させるので、遊技者が特に注目するような場面において適切な効果音等の演出を行うことができる。
【０１２３】
請求項４記載の発明では、低音増強手段が、音出力パターンに基づく出力音の種別に応じて設定された情報に基づいて、第１低音増強パターンと第２低音増強パターンとを選択的に用いて低音の音量レベルを増加させるので、スロット機等において、音の種別に合わせて最適な低域増強を行うことができる効果がある。
【図面の簡単な説明】
【図１】本発明の概要を示す概念図である。
【図２】パチンコ遊技機を正面から見た正面図である。
【図３】遊技機を裏面から見た背面図である。
【図４】遊技制御部を中心としたシステム構成例を示すブロック図である。
【図５】演出制御基板の回路構成例を示すブロック図である。
【図６】音声合成用ＩＣの一構成例を示すブロック図である。
【図７】パターンテーブルの構成を示す概念図である。
【図８】パターンテーブルの詳細な構成例を示す説明図である。
【図９】フィルタ選択を示すデータと、フィルタタイプ及びブーストレベルとの対応を示す説明図である。
【図１０】演出表示パターンにおけるそれぞれの段階において異なるフィルタ選択がなされる場合の例を示す説明図である。
【図１１】ピーキング型とシェルビング型とのフィルタ特性を説明するための説明図である。
【図１２】主基板におけるＣＰＵが実行するメイン処理を示すフローチャートである。
【図１３】２ｍｓタイマ割込み処理を示すフローチャートである。
【図１４】演出制御用ＣＰＵが実行するメイン処理を示すフローチャートである。
【図１５】演出制御プロセス処理を示すフローチャートである。
【図１６】プロセスデータの一構成例を示す説明図である。
【図１７】フィルタ選択の切替制御を示すフローチャートである。
【図１８】クリップ防止リミッタ処理を示すフローチャートである。
【図１９】リミッタ制御の他の例を示す説明図である。
【図２０】スロット機を正面から見た正面図である。
【図２１】スロット機に搭載されている主基板の回路構成の一例を示すブロック図である。
【符号の説明】
１　　　パチンコ遊技機
６　　　可変表示装置（ＬＣＤ）
２０Ｌ，２０Ｒ　スピーカ
３０　　主基板
３３　　ＣＰＵ
６０　　ランプ制御部
７０　　音制御部
７１　　音声合成用ＩＣ
７２　　音声ＲＯＭ
７３　　増幅器
８０　　表示制御部
１００　演出制御基板
１０１　演出制御用ＣＰＵ
５００　スロット機
５４０　画像表示装置（ＬＣＤ）
６００　主基板
６３０　演出制御基板
７３０　音再生部
７３２　フィルタ部
【図１】
2004008481.tif 000003
【図２】
2004008481.tif 000004
【図３】
2004008481.tif 000005
【図４】
2004008481.tif 000006
【図５】
2004008481.tif 000007
【図６】
2004008481.tif 000008
【図７】
2004008481.tif 000009
【図８】
2004008481.tif 000010
【図９】
2004008481.tif 000011
【図１０】
2004008481.tif 000012
【図１１】
2004008481.tif 000013
【図１２】
2004008481.tif 000014
【図１３】
2004008481.tif 000015
【図１４】
2004008481.tif 000016
【図１５】
2004008481.tif 000017
【図１６】
2004008481.tif 000018
【図１７】
2004008481.tif 000019
【図１８】
2004008481.tif 000020
【図１９】
2004008481.tif 000021
【図２０】
2004008481.tif 000022
【図２１】
2004008481.tif 000023